(57)【要約】【課題】従来品は、Ｊ字型のフック形状となっており、ワイヤーロープ等の巻き付け繰出しを何回も繰り返していると時にフックからワイヤーロープ等が外れてしまうことがあった事から、作業性に優れていて、且つ、決して外れない取付金具の開発が望まれていた。【解決手段】架設工事の作業現場で必ず使用される六角棒レンジを締め付け工具とするボルトを使用した、ボルト締め込み型のワイヤー端末繋ぎ止め装置を提供した。【選択図】図４
2016141570.tif 000002
【特許請求の範囲】
【請求項１】
リール１台につき１個以上装備するロープ端末繋ぎ止め装置であって、ロープのアイ加工した閉ループの１辺のロープ部を差し込むＵ字型の溝部を有し、溝部を構成する一方の支柱がアイ加工した閉ループを貫通し、且つ、溝部に差し込んだロープが抜けない様に溝部を封鎖する構造であることを特徴としたロープ端末繋ぎ止め装置。
【請求項２】
前記のロープ端末繋ぎ止め装置において、溝部を封鎖する構造として、Ｕ字型した溝部を構成する二つの支柱の間にボルトを渡した構造であることを特徴とするボルト締め込み型のロープ端末繋ぎ止め装置。
【請求項３】
前記ボルト締め込み型のロープ端末繋ぎ止め装置において、一方の支柱にメネジ部を直接ねじ切りされ、他方の支柱にはボルトのネジ部が貫通する穴がくり貫かれ、且つ、ボルトの頭頂部はくり貫かれた穴を貫通することなく、ボルトは適当な治具で回転トルクを与えらる構造となっている事を特徴とするボルト締め込み型のロープ端末繋ぎ止め装置。
【請求項４】
前記のボルト締め込み型のロープ端末繋ぎ止め装置は、リールの縁を構成する支柱に設置され、ボルト締め込み型のロープ端末繋ぎ止め装置の幅はリールの縁の厚さよりも小さく、溝の向きは縁と略並行である事を特徴とするボルト締め込み型のロープ端末繋ぎ止め装置。
【請求項５】
請求項３に記載のボルト締め込み型のロープ端末繋ぎ止め装置で、ボルトに回転トルクを与える方法として、電線等の架設工事現場で一般的に使用されるワイヤーロープ等連結金具のボルト締め付け用に使用される六角レンチを使用することを特徴とするボルト締め込み型のロープ端末繋ぎ止め装置。
【発明の詳細な説明】
【技術分野】
【０００１】  本発明は、ロープを巻き取るロープリールの一部品として構成されるロープ端末繋ぎ止め用の装置に関する。
【背景技術】
【０００２】  架空送電線の架設工事などでは、長尺のワイヤーロープが必需品である。
ワイヤーロープは、架設工事個所までの運搬の便宜を考慮して一定の総重量以内になるよな長さに分割してワイヤー用のロープリールに巻き取り、工事個所で複数本を接続して長尺ワイヤーロープとして使用する。
ワイヤーロープの両端はさつま編み込み等によるアイ加工を施し、接続には専用の接続金具を使用する。【０００３】  ワイヤーロープを巻き取る時は、ワイヤーロープの一端のアイ加工部をロープリールに装備したロープ端末繋ぎ止め装置に掛けて繋ぎ止め、ワイヤーロープを隙間なく巻き取れるようにワイヤーロープに必要な張力を掛けながらモーター等の動力でロープリールを回転させてロープリールの巻き胴部に巻き付ける。
ワイヤーロープをロープリールから引き出すときは、ロープリールが自由回転しないようにブレーキを掛けながら徐々に送り出し、ワイヤーロープの相手端ではワイヤーロープに張力を掛けながら牽引する。【０００４】  長尺にするために次のワイヤーロープと接続する場合は、巻き胴部のワイヤーロープの巻き付け回数の残りが数回となった時点で一旦引き出し動作を止めて、堅固な機材等にワイヤーロープの張力を一時的に保持させ、ワイヤーロープ末端部を無張力の状態にした後ロープ端末繋ぎ止め装置から外し、これから接続しようとする次のワイヤーロープの先端とを接続金具で接続して、再び張力を掛けて引き出す。
【発明の概要】
【０００５】  アイ加工により閉ループ状にされたワイヤーロープの先端を簡単に把持・固定することができ、ワイヤーロープの捻じれに伴う元に戻ろうとする回転力やロープリールの巻き胴部への巻き付けに伴うワイヤーロープの屈曲への反発力などが複雑に絡み合いながら複合的に重なってロープ端末繋ぎ止め装置に繋ぎ止めているワイヤーロープのアイ加工部に掛かっても、アイ加工部がロープ端末繋ぎ止め装置から決して外れないロープ端末繋ぎ止め用の装置を提供するものである。
【０００６】  なお、本発明はワイヤーロープに限らず、端末をアイ加工等した繊維製ロープ、端末に適当な閉ループ状の治具を装備した電線等にも応用できる。
【発明が解決しようとする課題】
【０００７】  これまでのロープリールのロープ端末繋ぎ止め用の金具は、Ｊ字型の先端が開放状態の金具が多く、取付け位置もメーカにより様々で、変形した金具などではロープ端末繋ぎ止め用の金具からワイヤーロープのアイ加工部が外れ易いものも見受けられた。【０００８】  ロープリールに巻き取る時は十分注意して作業するので多少厄介ではあっても問題が発生することは稀であったが、架設工事等で張力を掛けて引き出すときのワイヤーロープの末端近くでは、ロープ端末が確実に繋ぎ止められていない場合には、ロープリールの巻き胴部に数回以上ワイヤーロープが残っている段階からワイヤーロープが逸走する危険が懸念されている。【０００９】  このため、Ｊ字型のロープ端末繋ぎ止め金具にワイヤーロープを掛けるとともに、ワイヤーロープがＪ字型ロープ端末繋ぎ止め金具から不用意に抜けることの無い様にバインド線と称される細い鉄線でＪ字型ロープ端末繋ぎ止め金具とワイヤーロープを固縛する対策が考案された。しかしながらこの方法はワイヤーロープアイ加工部のロープ端末繋ぎ止め金具からの抜け防止対策としては不完全なうえに、時間を経ても堅固に固縛できているかどうかの作業の出来栄えは作業者の技量に依存するため、経験の浅い作業員には任せられないという課題があった。【００１０】  なお、新たなロープ端末繋ぎ止め装置の検討に当たっては、付け外しが容易でありながら一度繋ぎ止めたワイヤーロープは自然には外れない構造とするとともに、ロープ端末繋ぎ止め装置の大きさは、ロープリールの縁の内側では巻取るロープとの接触防止の観点と、縁の外側では他のロープリールや機材との接触防止の観点から、縁の厚さ以内であることが求められた。
【課題を解決するための手段】
【００１１】  本発明では、アイ加工等により閉ループ状の先端を有するロープ端末を、簡単な手順で、確実に繋ぎ止めるための装置の構造を提供した。【００１２】  請求項１では、ロープ端末繋ぎ止め装置の基本構造を提供している。
対象としているロープはアイ加工等により閉ループ状の形状をした先端を有するものとの条件はあるが、アイ加工に類した閉ループ構造の端末を加工又は接続できればロープに限らず電線等にも応用できる。【００１３】  基本構造としては、固定された２本の支柱により構成されるＵ字型の溝と、その溝の開口部を封鎖するように渡された封鎖部品で一体をなす。封鎖部品は取り外し又は回転・屈曲させて開口部を開放し、ロープのアイ加工による閉ループ部の１辺を溝に差し込み、封鎖部品が開口部を封鎖するように取付又は回転・屈曲して固定した後は、過大で無い通常考えられる張力等が掛かってもロープを解放しない機能を有する構造を提供している。【００１４】  請求項２では、封鎖部品としてボルト状の金具を提供している。
一般にクレーン等に装備された各種のフックにはバネ仕掛けで封鎖・開放の操作が容易な抜け止め金具が装備されていて作業能率も良いが、太いワイヤーロープ等での大きな荷重がかかった場合には封鎖部品が破損する懸念がある。その点、ボルトはその太さを適切に選択すれば支柱の強度も補強しつつボルト本体に掛かる荷重にも十分耐えることが可能である。【００１５】  請求項３では、請求項２で提供したボルトの詳細構造を提供している。
ワイヤーロープ等がロープ端末繋ぎ止め装置からロープリールの縁部に沿って巻き胴部に至り、縁部に接した位置から順次遠い方に巻き付けられる。また、アイ加工による閉ループ部の２本のロープの間隔はロープリールの縁部の厚さより大きいため、請求項４で提供するようにロープ端末繋ぎ止め装置のＵ字型の溝の方向は縁と略平行で下方向に向ける必要と、縁の厚さの範囲内に収める必要があり、封鎖部品としてのボルトは必要十分な強度を確保するとともに、縁の厚さからはみ出さない長さに抑える必要があった。このため、ナットは省略して１方の支柱に直接メネジを刻み、ボルト頭頂部も出来るだけ薄くしてメネジとは反対の支柱に沈降させることが好都合である。【００１６】  請求項５では、封鎖部品としてのボルトに締め付けの回転トルクを与える方法として、架設工事現場に必ず常備されており、ボルト頭部を支柱の外部に出しておく必要のない方式である六角棒レンチを使用する六角穴付きボルトを提供している。
【発明の効果】
【００１７】  本発明によれば、ロープリールのロープ端末繋ぎ止め装置へのワイヤーロープ等の繋ぎ止めが容易で、ロープ端末繋ぎ止め装置からのワイヤーロープ等の外れ防止が、経験の浅い作業員にも確実に実施出来る。【００１８】  さらに、ロープ端末繋ぎ止め装置からのワイヤーロープ等の外れ防止が確実で強度も強いので、ワイヤーロープに不測の張力がかかって逸走するような万一の事態においてもロープリールとワイヤーロープは接続状態を保つので、ワイヤーロープ端末を自由状態にしないで済む。
【図面の簡単な説明】
【００１９】
【図１】ロープリール１１とそれにワイヤーロープ１０等を巻きつけ始めた状態の模式図である。ワイヤーロープ１０の先端はアイ加工された閉ループが有り、閉ループ部をロープ端末繋ぎ止め装置に固定してロープリール１１の巻胴部にワイヤーロープ１０を巻き付ける。
【図２】ロープリール１１の側面の例で、Ｊ字型のロープ端末繋ぎ止め金具１ａにワイヤーロープ１０が固定されている。
【図３】図２と同様にロープリール１１の側面の例であるが、Ｕ字型ロープ端末繋ぎ止め装置１ｂの概略の取付位置と、ワイヤーロープ１１を固定した模式図である。
【図４】今回開発したＵ字型ロープ端末繋ぎ止め装置１ｂの詳細図と、ワイヤーロープ１０の関係を示した模式図である。
【発明を実施するための形態】
【００２０】  図３および図４に発明したロープ端末繋ぎ止め装置の詳細とロープリールに装備した時の位置関係を示した。
【実施例】
【００２１】  図４の１ｂがＵ字型の開放部を持つロープ端末繋ぎ止め装置の一例である。
Ｕ字型開放部の閉鎖金具としてはボルト２があり、Ｕ字型開放部に挿入したワイヤーロープ先端のアイ加工した閉ループ部１０ａを貫通するようにボルトを挿入して、ボルト頭部の六角穴２ａに六角棒レンチを差し込んで締め込む。
ロープ端末繋ぎ止め装置１ｂは、ロープリールの縁部に溶接で装備される。
【符号の説明】
【００２２】１      ロープ端末繋ぎ止め装置
１ａ    従来使用されてきたロープ端末繋ぎ止め装置の例（Ｊ字型）
１ｂ    今回発明したロープ端末繋ぎ止め装置（Ｕ字型）
２      Ｕ字型開放部閉鎖金具（六角穴つきボルト）
２ａ    六角穴
１０    ワイヤーロープ
１０ａ  ワイヤーロープ先端（アイ加工された閉ループ部）
１１    ロープリール
１１ａ  ロープリールの巻き胴部
１１ｂ  ロープリールの縁部
【図１】
2016141570.tif 000003
【図２】
2016141570.tif 000004
【図３】
2016141570.tif 000005
【図４】
2016141570.tif 000006